(57)【要約】【課題】袖瓦の垂れ部と破風板との間に隙間を生じさせることなく、施工が容易で且つ見栄えのよい袖瓦を提供する。【解決手段】本体部２と、該本体部に連設され、破風板６に被せて施工される垂れ部３とを一体に形成し、隣接する袖瓦１と重ね合わせて屋根の袖部に取り付けられる袖瓦であって、上記垂れ部の下流側は、上記上流側端部よりも外方に緩やかに拡大させた傾斜面３ｂが形成されるとともに、上記垂れ部における下流側端部の開口部３ａには、破風板との隙間を塞ぐための平坦な整合部３１ｂを有した小突部３１が突設されていることを特徴とした。【選択図】図１
0003134265.tif 000002
【実用新案登録請求の範囲】
【請求項１】
本体部と、該本体部に連設され、破風板に被せて施工される垂れ部とを一体に形成し、隣接する袖瓦と重ね合わせて屋根の袖部に取り付けられる袖瓦であって、
上記垂れ部の下流側は、上流側端部よりも外方に緩やかに拡大させた傾斜面が形成されるとともに、上記垂れ部における下流側端部の開口部には、破風板との隙間を塞ぐための平坦な整合部を有した小突部が突設されていることを特徴とした袖瓦。
【請求項２】
請求項１において、
前記小突部は、前記垂れ部の傾斜面の内面に形成され、前記上流側端部に向かって、先細形状となる台座部を有した形状にしていることを特徴とした袖瓦。
【考案の詳細な説明】
【技術分野】
【０００１】
本考案は、隣接する袖瓦とを重ね合わせて屋根の袖部に取り付けられる袖瓦に関する。
【背景技術】
【０００２】
従来より、切妻屋根や入母屋屋根等の袖部には、袖瓦（けらば瓦ともいう）が取り付けられており、このような袖瓦は、桟瓦上に被せられ固着される本体部と、破風板に固着される垂れ部とからなる。
下記特許文献１には、本体部と垂れ部（水切り部）とからなる袖瓦が記載されており、垂れ部の内面に垂れ部と破風板との間に所定の隙間を設けるための凸部が設けられたものが開示されている。これによれば、垂れ部と破風板との間に一定幅の隙間を形成することができ、垂れ部の外面を伝って流れ落ちた雨水によって破風板を汚すことを防ぐことができるとされている。
しかしながら、このように垂れ部と破風板との間に隙間が形成されると以下のような問題があった。
【０００３】
図７は、従来の袖瓦の固定状態を示す要部一部断面図である。この図は、屋根の袖部に固着された袖瓦を下方から見上げた状態を示している。
袖瓦１０は、桟瓦（不図示）の上に被せて釘（不図示）等で固着される本体部２０と、破風板６０に釘５０等で固着される垂れ部３０とからなり、袖瓦１０の下流側端部３０ｂは隣接する袖瓦１０の上流側端部３０ａと重ね合わされて、複数の袖瓦１０が、屋根の袖部に取り付けられる。図中、４０は釘孔である。
このように袖瓦１０の下流側端部３０ｂが上流側端部３０ａの上に重ね合わされることにより、隙間Ｓが形成されると、屋根の袖部に固着された袖瓦１０を図のように下方から見上げた際に、釘孔４０に打ち込まれた釘５０が見えてしまうので見栄えが悪いという問題があった。またその隙間Ｓに蝙蝠や鳥が入り込んで巣を作ったり、環境によっては袖瓦１０の内面の空間に草等の植物が茂ってしまうことがあった。
【０００４】
そこで下記特許文献２には、袖瓦（けらば瓦）の垂れ部と破風板との間の隙間を塞ぐ形状を有する瓦用取付補助具が記載されている。これによれば、細長い略三角形状の塞ぎ部によって垂れ部と破風板との間の隙間を塞ぐことができるとされている。
【特許文献１】特開平７−３３１８０９号公報
【特許文献２】特開２００３−９６９８１号公報
【考案の開示】
【考案が解決しようとする課題】
【０００５】
しかしながら、上記特許文献２に記載のものは、袖瓦とは別部材からなる取付補助具である。よって、袖瓦の施工後に垂れ部と破風板との間の隙間に取り付ける必要があるので、施工工数・部品点数が増えて、施工の手間が増えるとともに、取付補助具のコストが余計にかかってしまう。また垂れ部と破風板との間に生じる隙間の形状は、袖瓦の形状によって異なるため、汎用性がないという問題もあった。
【０００６】
本考案は、上記実情に鑑みなされたものであり、袖瓦の垂れ部と破風板との間に隙間を生じさせることなく、施工が容易で且つ見栄えのよい袖瓦を提供することを目的としている。
【課題を解決するための手段】
【０００７】
本考案に係る袖瓦は、本体部と、該本体部に連設され、破風板に被せて施工される垂れ部とを一体に形成し、上流側端部或いは下流側端部を隣接する袖瓦と重ね合わせて屋根の袖部に取り付けられるものであって、上記垂れ部の下流側は、上記上流側端部よりも外方に緩やかに拡大させた傾斜面が形成されるとともに、上記垂れ部における下流側端部の開口部には、破風板との隙間を塞ぐための平坦な整合部を有した小突部が突設されていることを特徴とする。
本考案において、小突部は、前記垂れ部の傾斜面の内面に形成され、前記上流側端部に向かって、先細形状となる台座部を有した形状とすることができる。  
【考案の効果】
【０００８】
本考案の袖瓦によれば、垂れ部の下流側は、上流側端部よりも外方に緩やかに拡大させた傾斜面が形成されるとともに、垂れ部における下流側端部の開口部には、破風板との隙間を塞ぐための平坦な整合部を有した小突部が突設されているので、袖瓦の垂れ部と破風板との間に隙間を生じさせることなく、袖瓦を施工することができる。よって、屋根の袖部に取り付けられた袖瓦を下方から見上げても、破風板との間に隙間がないので、釘等がみえることがなく、袖瓦施工後の見栄えがよい。また袖瓦の垂れ部と破風板との間に隙間が生じないので、鳥や蝙蝠等が侵入できず、住処になることがない。
【０００９】
また開口部に小突部が突設されているので、小突部が袖瓦同士を重ね合わせる際の位置決めの役割を担うとともに、該小突部は袖瓦の垂れ部に一体に形成されているので、袖瓦の垂れ部と破風板との隙間を埋めるための別部材を要しないものとできる。よって、余分な施工作業が生じず、施工が容易となる。
更に垂れ部の下流側は、上流側端部よりも外方に緩やかに拡大させた傾斜面が形成されているので、これが水勾配となってスムーズに雨水が流れ、水はけがよく、垂れ部の外面を伝って流れ落ちた雨水によって破風板を汚すことを防ぐことができる。また屋根の袖部に袖瓦を施工したときに、該傾斜面がウェーブ状に幾重にも連なってみえ、意匠性に優れた外観を備えたものとできる。
【００１０】
そして小突部は、垂れ部の傾斜面の内面に形成され、上流側端部に向かって、先細形状となる台座部を有した形状としているので、単に凸形状とされたものと比べて、運搬時等の衝撃に対して割れや欠けが生じにくい強い構造のものとできる。
【考案を実施するための最良の形態】
【００１１】
以下に本考案の最良の実施の形態について、図面に基づいて説明する
図１は本考案の一実施形態を示す袖瓦の内面の全体斜視図、図２は同袖瓦の外面の全体斜視図、図３は同袖瓦の取付状態を示す断面図、図４は同袖瓦の内面の連結状態を示す斜視図、図５は同袖瓦の取付状態を示し、屋根の袖部を下方から見上げた状態を示す説明図、図６は同袖瓦の取付状態を示し、屋根の袖部を正面から見た状態を示す説明図である。尚、ここでは、屋根の大棟部（不図示・屋根の内郭平行部）側を上流側とし、軒部（不図示・屋根の外郭平行部）側を下流側として説明し、袖瓦が屋根の袖部に取り付けられた際に上方にある袖瓦の端部を上流側端部（尻）、下方にある袖瓦の端部を下流側端部（頭）として説明する。
【００１２】
本考案の袖瓦１は、切妻屋根や入母屋屋根等の袖部に取り付けられるものであり、袖瓦１の下流側端部は、隣接して施工される袖瓦１の上流側端部とを重ね合わされた状態に取り付けられる。
図１、図２は、本考案の袖瓦の全体斜視図を示しており、図１は屋根の袖部に取り付けられた際に内面となる側、図２は外面となる側を示している。
図に示す袖瓦１は、本体部２と、該本体部２に連設される垂れ部３とが一体に形成され、断面略Ｌ字形状とし、本体部２は桟瓦８（図３参照）の上に被せて固着され、垂れ部３は破風板６（図３参照）の上に被さるように固着される。本体部２には後記する水返し溝５の付近に一箇所、また垂れ部３の長手方向中央には２箇所の釘孔４が形成されており、ここに釘やビス等が打ち込まれて、屋根の袖部に取り付けられる。尚、本実施例では釘９で取り付けた例を示し（図６参照）、袖瓦１の固着方法としては、釘止めの他、ステンレス製等からなる緊結線で緊結する方法でもよい。
【００１３】
本体部２の長手方向の端部には、凸部２ａが形成されており、該凸部２ａは敷設されている桟瓦８の端部８ａ（図３参照）を覆って隠すように凸部２ａの先側２ａａ（図３参照）は桟瓦８の外面との間に隙間が形成されないよう平坦に形成されている。本体部２の幅方向下流側の端部は、隣接して取り付けられている袖瓦１の上流側に被さり、雨水や後記する水返し溝５を伝って流れてきた雨水をスムーズに上流側から下流側へと排水し誘導するよう、図２に示すように丸みを帯びた折曲部２ｂが形成されている。本体部２の外面長手方向には、雨水を下流側の軒部（不図示）へと排水し誘導する線状の水返し溝５が形成されている。また本体部２と垂れ部３の外面幅方向上流側端部にも線状の水返し溝５が形成されており、隣接して取り付けられる袖瓦１との重ね合わせ部分に浸入した雨水を排水できる構造となっている。
【００１４】
垂れ部３の下流側は、上流側端部よりも外方に緩やかに拡大させた傾斜面３ｂが形成されており、図１に示すように、垂れ部３の長手方向の端部には、破風板６（図３参照）との隙間を塞ぐための平坦な整合部３１ｂを有した小突部３１が突設されている。即ち、このように小突部３１の先側は破風板６と整合するよう平坦に形成されているので、垂れ部３と破風板６との隙間を埋めるための別部材を要せず、余分な施工作業が生じないものとできる。また小突部３１は、垂れ部３の傾斜面３ｂの内面（裏面）に形成され、上流側端部に向かって、先細形状となる台座部３１ａを有した形状としているので、単に凸形状のものと比べて、複数の袖瓦１を上下に重ねて出荷・運搬・保管するような場合でも、小突部３１が割れたり、欠けたりしにくいものとすることができる。
【００１５】
図３は袖瓦の取付状態を示す断面図であり、この図に基づいて袖瓦の施工要領を説明する。
野地板７に千鳥状に取り付けられた桟瓦８の端部８ａを覆い隠すようにして、袖瓦１を被せる。このとき、取り付ける袖瓦１は、隣接して取付られている上流側の袖瓦１の下流側端部或いは、隣接して取り付けられている下流側の袖瓦１の上流側端部と重ね合わされた状態となる。そしてまず袖瓦１の本体部２の釘孔４に釘９（図３では不図示）を打ち込み、野地板７に固着させた後、垂れ部３の釘孔４に釘９を打ち込んで破風板６に固着される。
この作業を繰り返すことにより、屋根の袖部に袖瓦１を取り付けることができる。
【００１６】
このようにして取り付けられた袖瓦１の各種状態を図４乃至図６に示す。図４は袖瓦の内面の連結状態を示す斜視図、図５は袖瓦の取付状態を示し、屋根の袖部を下方から見上げた状態を示す説明図、図６は袖瓦が取付状態を示し、屋根の袖部を正面から見た状態を示す説明図である。
図４には２枚の袖瓦１の連結状態を示している。このように本体部２の幅方向下流側の端部に形成される凸部２ａは、隣接して取り付けられる袖瓦１の上流側に被さり、垂れ部３の開口部３ａと隣接して取り付けられる袖瓦１の上流側端部が嵌め合わされた状態となる。このとき小突部３１の台座部３１ａは袖瓦１同士を重ね合わせる際の位置決めの役割も担う。
【００１７】
よって、図５に示すように袖瓦１の垂れ部３は互いに嵌合状態となり、隙間なく袖瓦１同士を連設することができる。また、開口部３ａには、破風板６との隙間を塞ぐための平坦な整合部３１ｂを有した小突部３１が突設されているので、垂れ部３と破風板６との間に隙間を生じさせることなく、袖瓦１を施工することができ、上述のように小突部３１が位置決めの役割も担っているので、袖瓦１の施工が容易となる。
更に屋根の袖部に取り付けられた袖瓦１を下方から見上げても、破風板６との間に隙間がないので、釘等がみえることがなく、見栄えがよい。そしてこのように垂れ部３と破風板６との間に隙間が生じないので、鳥や蝙蝠等が侵入できず、住処になることもない。
【００１８】
更にまた垂れ部３の下流側は、上流側端部よりも外方に緩やかに拡大させた傾斜面３ｂが形成されているので、これが水勾配となってスムーズに雨水が流れ、水はけがよく、垂れ部３の外面を伝って流れ落ちた雨水によって破風板６を汚すことを防ぐことができる。また屋根の袖部に袖瓦１を施工したときに、該傾斜面３ｂがウェーブ状に幾重にも連なってみえ、意匠性に優れた外観を備えたものとできる。
【００１９】
図６は屋根の袖部を正面から見た状態を示す説明図であり、切妻屋根の片側の一部を示している。袖瓦１の垂れ部３は図６に示すように釘９によって屋根の袖部に固着されており、垂れ部３の下流側は、上流側より外方に緩やかに拡大しているので、上記した外観を備えるとともに、本体部２の幅方向下流側の端部は、丸みを帯びた折曲部２ｂとなっているので、隣接して取り付けられている袖瓦１の上流側に被さり、雨水をスムーズに上流側から下流側へと排水し誘導することができ、且つ意匠性に優れた外観を備えたものとできる。
【００２０】
尚、袖瓦１の形状は図例のものに限定されず、小突部３１の形状・大きさは袖部（けらば）の形状等に応じて変更されるものである。また釘孔４の数、水返し溝５の形成箇所や形状等も限定されるものではない。更に袖瓦１は、いぶし瓦、素焼き瓦、釉薬瓦等の粘土瓦からなるものに限定されず、セラミック瓦にも適用可能であることは言うまでもない。
【図面の簡単な説明】
【００２１】
【図１】本考案の一実施形態を示す袖瓦の内面の全体斜視図である。
【図２】同袖瓦の外面の全体斜視図である。
【図３】同袖瓦の取付状態を示す断面図である。
【図４】同袖瓦の内面の連結状態を示す斜視図である。
【図５】同袖瓦の取付状態を示し、屋根の袖部を下方から見上げた状態を示す説明図である。
【図６】同袖瓦の取付状態を示し、屋根の袖部を正面から見た状態を示す説明図である。
【図７】従来の袖瓦の固定状態を示す要部一部断面図である。
【符号の説明】
【００２２】
１      袖瓦
２      本体部
３      垂れ部
３ａ    開口部
３ｂ    傾斜面
３１    小突部
３１ａ  台座部
３１ｂ  整合部
６      破風板
【図１】
0003134265.tif 000003
【図２】
0003134265.tif 000004
【図３】
0003134265.tif 000005
【図４】
0003134265.tif 000006
【図５】
0003134265.tif 000007
【図６】
0003134265.tif 000008
【図７】
0003134265.tif 000009